(57)【要約】      （修正有）【課題】加熱時の容器の爆発を避けるための防爆型電子レンジ用食品容器を提供する。【解決手段】防爆型電子レンジ用食品容器１００は、シーリングフィルムと合わせて使用され、容器本体１と、容器本体１の開口１１の縁部を囲んで結合された防爆縁部２とを備え、防爆縁部２は、縁部２１と、突出部２２と、漏れ防止溝２３と、破裂部２４と、排気弁２５とを備え、縁部２１は開口１１の縁部の内側から外へ延伸され、突出部２２は縁部２１の片側に設けられ、漏れ防止溝２３は防爆縁部２に凹設され、入口端２３１と、排気端２３２と溝本体２３３とを備え、入口端２３１は突出部２２の片側に、排気端２３２は突出部２２に設けられ、溝本体２３３は入口端２３１と排気端２３２とをつなぐように設けられ、容器本体１の周囲を囲んで第１貼合エリア１０が形成され、破裂部２４は入口端２３１傍に隣接した収納空間１２の片側に設けられ、第２貼合エリア２０が形成され、排気弁２５は切断ラインａで、排気端２３２内に設けられる。【選択図】図１
0003230251.tif 000002
【実用新案登録請求の範囲】
【請求項１】
シーリングフィルム（２００）を合わせて実施され、容器本体（１）と、容器本体（１）の上縁を囲んで結合された防爆縁部（２）とを備えてなる食品容器（１００）であり、前記容器本体（１）の上部には開口（１１）があり、その内部は収納空間（１２）に形成され、前記シーリングフィルム（２００）は、防爆縁部（２）の表面に貼り合せられ、前記収納空間（１２）を密閉にするように設けられ、
前記防爆縁部（２）は、縁部（２１）と、突出部（２２）と、漏れ防止溝（２３）と、破裂部（２４）と、排気弁（２５）とを備えてなり、前記縁部（２１）は、前記開口（１１）縁の内側から外へ延伸され、前記突出部（２２）は、前記縁部（２１）片側の内側から外に凸設し、前記漏れ防止溝（２３）は、防爆縁部（２）の表面に設けられ、うねうねと延ばされ、凹んで嵌め込まされた長い溝本体（２３３）と、一端の入口端（２３１）と、他端の突出部（２２）の表面まで延伸された排気端（２３２）とを備えてなり、前記入口端（２３１）は突出部（２２）の片側に隣接し、排気端（２３２）は突出部（２２）の表面に設けられ、溝本体（２３３）は防爆縁部（２）に沿って、容器本体（１）の周囲を囲むように設けられ、前記縁部（２１）と突出部（２２）は、シーリングフィルム（２００）の貼り合せに供されるための第１貼合エリア（１０）に設けられ、前記破裂部（２４）は、入口端（２３１）傍に隣接した収納空間（１２）内壁の上方に設けられ、前記入口端（２３１）との間は第２貼合エリア（２０）に設けられ、前記排気弁（２５）は、少なくともの一つの切断ライン（ａ）で、排気端（２３２）内に設けられ、
前記第２貼合エリア（２０）とシーリングフィルム（２００）間の貼り合わせ力は、前記第１貼合エリア（１０）とシーリングフィルム（２００）間の貼り合わせ力より低く設けられる、
ことを特徴とする防爆型電子レンジ用食品容器。
【請求項２】
前記溝本体（２３３）の深さ（Ｄ）は、入口端（２３１）から排気端（２３２）までで、深いところから低いところまで設けられることを特徴とする請求項１に記載の防爆型電子レンジ用食品容器。
【請求項３】
前記破裂部（２４）は、少なくともの一つの凹み部（２４１）と、破裂縁（２４２）とを備えてなり、前記凹み部（２４１）は入口端（２３１）の前記収納空間（１２）に隣接した片側に、前記破裂縁（２４２）は凹み部（２４１）と入口端（２３１）間にあり、第２貼合エリア（２０）に対応するように設けられることを特徴とする請求項２に記載の防爆型電子レンジ用食品容器。
【請求項４】
前記シーリングフィルム（２）は、第１貼合エリア（１０）、第２貼合エリア（２０）との貼り合わせ方法は次のように、高周波溶着、熱溶着の何れかの一つであることを特徴とする請求項３に記載の防爆型電子レンジ用食品容器。
【考案の詳細な説明】
【技術分野】
【０００１】
本考案は、電子レンジ用食品容器の技術分野に関わり、特に防爆型電子レンジ用食品容器に関する。
【背景技術】
【０００２】
コンビニエンスストアは、外食族のニーズに対応するため、真空パックかつ、電子レンジ用食品容器に入っている食品を簡単に入手できるよう提供している。それらの商品は通常、電子レンジ用食品容器を密閉シールで密封し、その中の食べ物を保存するものである。
【考案の概要】
【考案が解決しようとする課題】
【０００３】
近年、電子レンジ食品は、食の安全が考慮されると同時に、そのような食品の多様化に伴い、電子レンジ用食品容器の強度を高く求められているが、密閉シールの強度が弱く、又は密閉シールの減圧が工夫されない場合、爆発する恐れがあり、そこで、中身が電子レンジ内で飛散してしまい、安全性及び電子レンジの掃除に関する問題が生じるほかに、食べ物が無駄になってしまうこともある。高強度の密閉シールの使用、減圧の工夫設計では、全体的な製造コストが向上するほかに、一定レベルの密閉シールの使用・仕様設計で作られたものは、持ち歩くのに不便であるうえに、外力などによる破損が生じやすく、無駄になる場合がある。電子レンジ用食品容器は、密閉シールに破損などが生じた場合、運送中、傾いたりすると、中身が流出する恐れがあり、安全面や衛生面も悪い。それに鑑みて、本考案では、次のような技術方案を提出するわけである。
【０００４】
そこで、上記の問題点に対して、防爆型電子レンジ用食品容器を提供することが本考案の課題となる。
【課題を解決するための手段】
【０００５】
前記問題点を解決でき、上記目的を達成するために、本考案の防爆型電子レンジ用食品容器は、
シーリングフィルム（２００）を合わせて実施され、容器本体（１）と、容器本体（１）の上縁を囲んで結合された防爆縁部（２）とを備えてなる食品容器（１００）であり、前記容器本体（１）の上部には開口（１１）があり、その内部は収納空間（１２）に形成され、前記シーリングフィルム（２００）は、防爆縁部（２）の表面に貼り合せられ、前記収納空間（１２）を密閉にするように設けられ、
前記防爆縁部（２）は、縁部（２１）と、突出部（２２）と、漏れ防止溝（２３）と、破裂部（２４）と、排気弁（２５）とを備えてなり、前記縁部（２１）は、前記開口（１１）縁の内側から外へ延伸され、前記突出部（２２）は、前記縁部（２１）片側の内側から外に凸設し、前記漏れ防止溝（２３）は、防爆縁部（２）の表面に設けられ、うねうねと延ばされ、凹んで嵌め込まされた長い溝本体（２３３）と、一端の入口端（２３１）と、他端の突出部（２２）の表面まで延伸された排気端（２３２）とを備えてなり、前記入口端（２３１）は突出部（２２）の片側に隣接し、排気端（２３２）は突出部（２２）の表面に設けられ、溝本体（２３３）は防爆縁部（２）に沿って、容器本体（１）の周囲を囲むように設けられ、前記縁部（２１）と突出部（２２）は、シーリングフィルム（２００）の貼り合せに供されるための第１貼合エリア（１０）に設けられ、前記破裂部（２４）は、入口端（２３１）傍に隣接した収納空間（１２）内壁の上方に設けられ、前記入口端（２３１）との間は第２貼合エリア（２０）に設けられ、前記排気弁（２５）は、少なくともの一つの切断ライン（ａ）で、排気端（２３２）内に設けられ、
前記第２貼合エリア（２０）とシーリングフィルム（２００）間の貼り合わせ力は、前記第１貼合エリア（１０）とシーリングフィルム（２００）間の貼り合わせ力より低く設けられる、
ことを要旨とする。
【０００６】
前記溝本体（２３３）の深さ（Ｄ）は、入口端（２３１）から排気端（２３２）までで、深いところから低いところまで設けられることが好ましい。
【０００７】
前記破裂部（２４）は、少なくともの一つの凹み部（２４１）と、破裂縁（２４２）とを備えてなり、前記凹み部（２４１）は入口端（２３１）の前記収納空間（１２）に隣接した片側に、前記破裂縁（２４２）は凹み部（２４１）と入口端（２３１）間にあり、第２貼合エリア（２０）に対応するように設けられることが好ましい。
【０００８】
前記シーリングフィルム（２）は、第１貼合エリア（１０）、第２貼合エリア（２０）との貼り合わせ方法は次のように、高周波溶着、熱溶着の何れかの一つであることが好ましい。
【考案の効果】
【０００９】
本考案は従来の技術に対して、次のような効果がある。
１．本考案では、防爆縁部２の第２貼合エリア２０とシーリングフィルム２００間の貼り合わせ力が、第１貼合エリア１０とシーリングフィルム２００間の貼り合わせ力より弱いという特性を利用して、第２貼合エリア２０にあるシーリングフィルム２００は、マイクロ波加熱で、一定の圧力に達すると、先に膨張し、容器内の空気が入口端２３１に流れ込んで、溝本体２３１を経て、排気端２３２の排気弁２５から排出されるように設けられ、高圧による食品容器１００の爆発を避けられ、安全衛生上の効果を果せる。
２．食品容器１００内では、マイクロ波加熱による圧力が発生して、空気が空気漏れ防止溝２３を通って、排気弁２５を圧迫、開くようにするが、圧力が下がると、内外の気圧を受けた排気弁２５は圧力バランスが取れると、自ら閉じるように設けられ、槽内の汁や水が流出するのを有効に防止し、漏れや汚染などの発生を防げる。
３．漏れ防止溝２３の溝本体２３３の深さＤは、入口端２３１から排気端２３２までで、深いところから浅いところまで傾斜に設けられ、空気の圧力が解除すると、液体が高いところから低いところへ流れ、即ち、排気端２３２から入口端２３１へと流れていく、重力により水が低いところに流れることで、食品容器１００が傾いても、中身の汁や水が流出するのを避けられる。
４．防爆縁部２の設置により、ユーザは、シーリングフィルムを外しているとき、食品容器１００からの蒸気による手の火傷を心配することなく、安全に使用できる。
【図面の簡単な説明】
【００１０】
【図１】本考案の立体図を示す。
【図２】本考案の右側面図を示す。
【図３】本考案の左側面図を示す。
【図４】本考案の、シーリングフィルムを合わせて実施された場合の立体図を示す。
【図５】本考案の、シーリングフィルムを合わせて実施された場合、マイクロ波加熱時の立体図を示す。
【図６】図５における部位Ｉの横断面図を示す。
【図７】図５における部位IIの断面図を示す。
【図８】図５の正面図を示す。
【考案を実施するための形態】
【００１１】
図１〜図８に示すのは、シーリングフィルム２００を合わせて実施され、容器本体１と、容器本体１の上縁を囲んで結合された防爆縁部２とを備えてなる食品容器１００であり、前記容器本体１の上部には開口１１があり、その内部は収納空間１２に形成され、前記シーリングフィルム２００は、防爆縁部２の表面に貼り合わせられ、前記収納空間１２を密閉にするように設けられ、前記防爆縁部２は、縁部２１と、突出部２２と、漏れ防止溝２３と、破裂部２４と、排気弁２５とを備えてなり、前記縁部２１は容器本体１上方の曲縁のように、、前記開口１１縁の内側から外へ延伸され、前記突出部２２は縁部２が外へ延伸された突出部分のように、前記縁部２１片側の内側から外に凸設され、前記漏れ防止溝２３は防爆縁部２の表面に設けられ、うねうねと延ばされ、凹んで嵌め込まされた長い溝本体２３３と、一端の入口端２３１と、他端の突出部２２の表面まで延伸された排気端２３２とを備えてなり、前記入口端２３１は突出部２２の片側に隣接し、排気端２３２は突出部２２の表面に設けられ、溝本体２３３は防爆縁部２に沿って、容器本体１の周囲を囲むように設けられ、前記縁部２１と突出部２２は、シーリングフィルム２００の貼り合せに供されるための第１貼合エリア１０に設けられ、前記破裂部２４は、入口端２３１傍に隣接した収納空間１２内壁の上方に設けられ、前記入口端２３１との間は第２貼合エリア２０に形成され、前記排気弁２５は少なくともの一つの切断ラインａで、排気端２３２内に設けられ、前記第２貼合エリア２０とシーリングフィルム２００間の貼り合わせ力は、前記第１貼合エリア１０とシーリングフィルム２００間の貼り合わせ力より弱く設けられることを特徴とする防爆型電子レンジ用食品容器。
【００１２】
本考案では、食品容器１００とシーリングフィルム２００の結合により、電子レンジ加熱による容器内部の過大圧力で、シーリングフィルム２００が膨張して爆発することを心配することなく、安心して電子レンジ加熱で安心して使える。
【００１３】
防爆縁部２の第２貼合エリア２０とシーリングフィルム２００間の貼り合わせ力が、第１貼合エリア１０とシーリングフィルム２００間の貼り合わせ力より弱いという特性を利用して、第２貼合エリア２０にあるシーリングフィルム２００は、マイクロ波加熱で、一定の圧力に達すると、先に膨張し、容器内の空気が入口端２３１に流れ込んで、溝本体２３１を経て、排気端２３２の排気弁２５から排出されるように設けられ、食品容器１００の爆発を避けることができる。
【００１４】
食品容器１００内では、マイクロ波加熱による圧力が発生して、空気が空気漏れ防止溝２３を通って、排気弁２５を圧迫、開くようにするが、圧力が下がると、内外の気圧を受けた排気弁２５は圧力バランスが取れると、自ら閉じるように設けられ、槽内の汁や水が流出するのを有効に防ぎ、漏れや汚染などの発生を防ぐことができる。
【００１５】
図２と図３に示すように、前記溝本体２３３の深さＤは、前記入口端２３１から前記排気端２３２までで、深いところから浅いところまで傾斜に設けられ、入口端２３１の深さＤは最も深く、排気端２３２の深さＤは最も浅いもので、空気の圧力が解除すると、液体が高いところから低いところへ流れ、即ち、排気端２３２から入口端２３１へと流れていく。本考案では、重力により水が低いところに流れることで、食品容器１００が傾いても、中身の汁や水が流出するのを有効に避けることができる。
【００１６】
図１と図８に示すように、前記破裂部２４は、少なくともの一つの凹み部２４１と破裂縁２４２とを備えてなり、前記凹み部２４１は入口端２３１の前記収納空間１２に隣接した片側に、破裂縁２４２は凹み部２４１と入口端２３１間に設けられ、前記破裂縁２４２と入口端２３１との間は第２貼合エリア２０に形成される。
【００１７】
全体的な強度が影響されないもとで、凹み部２４１の設置により、破裂縁２４２に対応した第２貼合エリア２０の幅が制限されるため、第２貼合エリア２０とシーリングフィルム２００間の貼り合わせ力は、第１貼合エリア１０とシーリングフィルム２００間の貼り合わせ力より低く設けられる。本考案では、食品容器１００はマイクロ波加熱の時、第２貼合エリア２０のシーリングフィルム２００は先に膨張して、容器内の空気が排出されるように設けられ、それで、シーリングフィルム２００の更なる大きな破損、又は食品容器１００の変形を避けることができる。
【００１８】
前記シーリングフィルム２は、前記第１貼合エリア１０、前記第２貼合エリア２０との貼り合わせ方法は次のように、高周波溶着、熱溶着のいずれかの一つである。
【００１９】
本考案では、貼り合わせ力の大きさは、第１貼合エリア１０、第２貼合エリア２０の両者の幅によることであり、実際のニーズに応じて、貼り合せ加工を行い、簡単に実施される。
【００２０】
図１と図２に示すように、前記排気弁２５は次のように、半円形状、米の字状（未図示）、水滴形状（未図示）のいずれかの一つの形状に設けられる。
【００２１】
本考案では、異なる形状をする排気弁２５の設置により、汁や水が流出するのを防止し、食品容器１００の運びが簡単に行われ、出前担当を困らせないように設けられる。
【００２２】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２３】
１  容器本体
１１  開口
１２  収納空間
２  防爆縁部
２１  縁部
２２  突出部
２３  漏れ防止溝
２３１  入口端
２３２  排気端
２３３  溝本体
２４  破裂部
２４１  凹み部
２４２  破裂縁
２５  排気弁
１０  第１貼合エリア
２０  第２貼合エリア
１００  食品容器
２００  シーリングフィルム
ａ  切断ライン
Ｄ  深さ
【図１】
0003230251.tif 000003
【図２】
0003230251.tif 000004
【図３】
0003230251.tif 000005
【図４】
0003230251.tif 000006
【図５】
0003230251.tif 000007
【図６】
0003230251.tif 000008
【図７】
0003230251.tif 000009
【図８】
0003230251.tif 000010
【手続補正書】
【提出日】令和2年11月2日(2020.11.2)
【手続補正１】
【補正対象書類名】実用新案登録請求の範囲
【補正対象項目名】全文
【補正方法】変更
【補正の内容】
【実用新案登録請求の範囲】
【請求項１】
シーリングフィルム（２００）が貼り合せられた容器本体（１）と、容器本体（１）の上縁を囲んで結合された防爆縁部（２）とを備えてなる食品容器（１００）であり、前記容器本体（１）の上部には開口（１１）があり、その内部は収納空間（１２）に形成され、前記シーリングフィルム（２００）は、防爆縁部（２）の表面に貼り合せられ、前記収納空間（１２）を密閉にするように設けられ、
前記防爆縁部（２）は、縁部（２１）と、突出部（２２）と、漏れ防止溝（２３）と、破裂部（２４）と、排気弁（２５）とを備えてなり、前記縁部（２１）は、前記開口（１１）縁の内側から外へ延伸され、前記突出部（２２）は、前記縁部（２１）片側の内側から外に凸設し、前記漏れ防止溝（２３）は、防爆縁部（２）の表面に設けられ、うねうねと延ばされ、凹んで嵌め込まされた長い溝本体（２３３）と、一端の入口端（２３１）と、他端の突出部（２２）の表面まで延伸された排気端（２３２）とを備えてなり、前記入口端（２３１）は突出部（２２）の片側に隣接し、排気端（２３２）は突出部（２２）の表面に設けられ、溝本体（２３３）は防爆縁部（２）に沿って、容器本体（１）の周囲を囲むように設けられ、前記縁部（２１）と突出部（２２）は、シーリングフィルム（２００）の貼り合せに供されるための第１貼合エリア（１０）に設けられ、前記破裂部（２４）は、入口端（２３１）傍に隣接した収納空間（１２）内壁の上方に設けられ、前記入口端（２３１）との間は第２貼合エリア（２０）に設けられ、前記排気弁（２５）は、少なくともの一つの切断ライン（ａ）で、排気端（２３２）内に設けられ、
前記第２貼合エリア（２０）とシーリングフィルム（２００）間の貼り合わせ力は、前記第１貼合エリア（１０）とシーリングフィルム（２００）間の貼り合わせ力より低く設けられる、
ことを特徴とする防爆型電子レンジ用食品容器。
【請求項２】
前記溝本体（２３３）の深さ（Ｄ）は、入口端（２３１）から排気端（２３２）までで、深いところから低いところまで設けられることを特徴とする請求項１に記載の防爆型電子レンジ用食品容器。
【請求項３】
前記破裂部（２４）は、少なくともの一つの凹み部（２４１）と、破裂縁（２４２）とを備えてなり、前記凹み部（２４１）は入口端（２３１）の前記収納空間（１２）に隣接した片側に、前記破裂縁（２４２）は凹み部（２４１）と入口端（２３１）間にあり、第２貼合エリア（２０）に対応するように設けられることを特徴とする請求項２に記載の防爆型電子レンジ用食品容器。
【請求項４】
前記シーリングフィルム（２００）は、第１貼合エリア（１０）、第２貼合エリア（２０）との貼り合わせ方法は次のように、高周波溶着、熱溶着の何れかの一つであることを特徴とする請求項３に記載の防爆型電子レンジ用食品容器。
【手続補正２】
【補正対象書類名】明細書
【補正対象項目名】０００５
【補正方法】変更
【補正の内容】
【０００５】
前記問題点を解決でき、上記目的を達成するために、本考案の防爆型電子レンジ用食品容器は、
シーリングフィルム（２００）が貼り合せられた容器本体（１）と、容器本体（１）の上縁を囲んで結合された防爆縁部（２）とを備えてなる食品容器（１００）であり、前記容器本体（１）の上部には開口（１１）があり、その内部は収納空間（１２）に形成され、前記シーリングフィルム（２００）は、防爆縁部（２）の表面に貼り合せられ、前記収納空間（１２）を密閉にするように設けられ、
前記防爆縁部（２）は、縁部（２１）と、突出部（２２）と、漏れ防止溝（２３）と、破裂部（２４）と、排気弁（２５）とを備えてなり、前記縁部（２１）は、前記開口（１１）縁の内側から外へ延伸され、前記突出部（２２）は、前記縁部（２１）片側の内側から外に凸設し、前記漏れ防止溝（２３）は、防爆縁部（２）の表面に設けられ、うねうねと延ばされ、凹んで嵌め込まされた長い溝本体（２３３）と、一端の入口端（２３１）と、他端の突出部（２２）の表面まで延伸された排気端（２３２）とを備えてなり、前記入口端（２３１）は突出部（２２）の片側に隣接し、排気端（２３２）は突出部（２２）の表面に設けられ、溝本体（２３３）は防爆縁部（２）に沿って、容器本体（１）の周囲を囲むように設けられ、前記縁部（２１）と突出部（２２）は、シーリングフィルム（２００）の貼り合せに供されるための第１貼合エリア（１０）に設けられ、前記破裂部（２４）は、入口端（２３１）傍に隣接した収納空間（１２）内壁の上方に設けられ、前記入口端（２３１）との間は第２貼合エリア（２０）に設けられ、前記排気弁（２５）は、少なくともの一つの切断ライン（ａ）で、排気端（２３２）内に設けられ、
前記第２貼合エリア（２０）とシーリングフィルム（２００）間の貼り合わせ力は、前記第１貼合エリア（１０）とシーリングフィルム（２００）間の貼り合わせ力より低く設けられる、
ことを要旨とする。
【手続補正３】
【補正対象書類名】明細書
【補正対象項目名】０００８
【補正方法】変更
【補正の内容】
【０００８】
前記シーリングフィルム（２００）は、第１貼合エリア（１０）、第２貼合エリア（２０）との貼り合わせ方法は次のように、高周波溶着、熱溶着の何れかの一つであることが好ましい。
【手続補正４】
【補正対象書類名】明細書
【補正対象項目名】００１０
【補正方法】変更
【補正の内容】
【００１０】
【図１】本考案の立体図を示す。
【図２】本考案の右側面図を示す。
【図３】本考案の左側面図を示す。
【図４】本考案の、シーリングフィルムが貼り合せられた場合の立体図を示す。
【図５】本考案の、シーリングフィルムが貼り合せられた場合の、マイクロ波加熱時の立体図を示す。
【図６】図５における部位Ｉの横断面図を示す。
【図７】図５における部位IIの断面図を示す。
【図８】図５の正面図を示す。
【手続補正５】
【補正対象書類名】明細書
【補正対象項目名】００１１
【補正方法】変更
【補正の内容】
【００１１】
図１〜図８に示すのは、シーリングフィルム２００が貼り合せられた容器本体１と、容器本体１の上縁を囲んで結合された防爆縁部２とを備えてなる食品容器１００であり、前記容器本体１の上部には開口１１があり、その内部は収納空間１２に形成され、前記シーリングフィルム２００は、防爆縁部２の表面に貼り合わせられ、前記収納空間１２を密閉にするように設けられ、前記防爆縁部２は、縁部２１と、突出部２２と、漏れ防止溝２３と、破裂部２４と、排気弁２５とを備えてなり、前記縁部２１は容器本体１上方の曲縁のように、前記開口１１縁の内側から外へ延伸され、前記突出部２２は縁部２が外へ延伸された突出部分のように、前記縁部２１片側の内側から外に凸設され、前記漏れ防止溝２３は防爆縁部２の表面に設けられ、うねうねと延ばされ、凹んで嵌め込まされた長い溝本体２３３と、一端の入口端２３１と、他端の突出部２２の表面まで延伸された排気端２３２とを備えてなり、前記入口端２３１は突出部２２の片側に隣接し、排気端２３２は突出部２２の表面に設けられ、溝本体２３３は防爆縁部２に沿って、容器本体１の周囲を囲むように設けられ、前記縁部２１と突出部２２は、シーリングフィルム２００の貼り合せに供されるための第１貼合エリア１０に設けられ、前記破裂部２４は、入口端２３１傍に隣接した収納空間１２内壁の上方に設けられ、前記入口端２３１との間は第２貼合エリア２０に形成され、前記排気弁２５は少なくともの一つの切断ラインａで、排気端２３２内に設けられ、前記第２貼合エリア２０とシーリングフィルム２００間の貼り合わせ力は、前記第１貼合エリア１０とシーリングフィルム２００間の貼り合わせ力より弱く設けられることを特徴とする防爆型電子レンジ用食品容器である。
【手続補正６】
【補正対象書類名】明細書
【補正対象項目名】００１８
【補正方法】変更
【補正の内容】
【００１８】
前記シーリングフィルム２００は、前記第１貼合エリア１０、前記第２貼合エリア２０との貼り合わせ方法は次のように、高周波溶着、熱溶着のいずれかの一つである。
【手続補正７】
【補正対象書類名】明細書
【補正対象項目名】００１９
【補正方法】変更
【補正の内容】
【００１９】
本考案では、貼り合わせ力の大きさは、第１貼合エリア１０、第２貼合エリア２０の両者の幅によることであり、実際のニーズに応じて、簡単に貼り合せ加工を行える。